【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
外部のクライアント装置にネットワークで接続された撮像装置であって、
撮像光学系と、
前記撮像光学系により結像された被写体の像を撮像する撮像手段と、
赤外線を遮断する赤外線遮断フィルターと、
前記撮像光学系の光路に対して前記赤外線遮断フィルターを挿脱する挿脱手段と、
前記挿脱手段による赤外線遮断フィルターの挿脱を前記撮像装置に自動で制御させるための自動挿脱制御命令とともに前記赤外線遮断フィルターの挿脱に関する自動調整情報を、前記外部のクライアント装置から前記ネットワークを介して受信する受信手段と、
前記受信手段により受信された自動挿脱制御命令に基づき、前記挿脱手段を自動で制御する制御手段と、
前記自動調整情報に関する挿脱指定情報を、前記外部のクライアントに前記ネットワークを介して送信する送信手段と、
を備え、
前記送信手段により送信される挿脱指定情報は、前記赤外線遮断フィルターを前記光路に挿入する場合および前記赤外線遮断フィルターを前記光路から抜去する場合のそれぞれについて、前記制御手段により用いられる自動調整情報を指定可能であるか否かを示すことを特徴とする撮像装置。
【請求項２】
前記挿脱指定情報は、前記赤外線遮断フィルターを前記光路に挿入する場合および前記赤外線遮断フィルターを前記光路から抜去する場合のそれぞれについて、前記制御手段により用いられる自動調整情報を別々に指定可能であるのか、それとも当該自動調整情報を共通で指定可能であるのかを示すことを特徴とする請求項１に記載の撮像装置。
【請求項３】
前記挿脱指定情報は、前記赤外線遮断フィルターを前記光路に挿入する場合について前記制御手段により用いられる自動調整情報を指定可能であることを示す挿入指定可能情報、および前記赤外線遮断フィルターを前記光路から抜去する場合について前記制御手段により用いられる自動調整情報を指定可能であることを示す抜去指定可能情報のそれぞれを、この順に記述可能であることを特徴とする請求項２に記載の撮像装置。
【請求項４】
前記受信手段は、前記送信手段により挿脱指定情報が送信された後に、前記自動挿脱制御命令とともに前記自動調整情報を、前記外部のクライアント装置から前記ネットワークを介して受信することを特徴とする請求項１乃至３のいずれか１項に記載の撮像装置。
【請求項５】
前記受信手段は、前記自動調整情報とともに前記挿脱指定情報を、前記外部のクライアント装置から前記ネットワークを介して受信することを特徴とする請求項１乃至４のいずれか１項に記載の撮像装置。
【請求項６】
前記自動調整情報とともに前記挿脱指定情報を前記受信手段が受信したか否かを判定する第１の判定手段と、
前記第１の判定手段により受信していないと判定された場合に、前記受信手段により受信された自動挿脱制御命令に対する返信としてエラー情報を返信する返信手段と、
をさらに備えることを特徴とする請求項１乃至５のいずれか１項に記載の撮像装置。
【請求項７】
前記受信手段により受信された挿脱指定情報と前記送信手段により送信された挿脱指定情報とが一致しているか否かを判定する第２の判定手段をさらに備え、
前記返信手段は、前記第２の判定手段により一致していないと判定された場合に、前記受信手段により受信された自動挿脱制御命令に対する返信としてエラー情報を返信することを特徴とする請求項６に記載の撮像装置。
【請求項８】
前記自動挿脱制御命令には、前記挿脱指定情報および前記自動調整情報のそれぞれをこの順に記述することができることを特徴とする請求項４乃至７のいずれか１項に記載の撮像装置。
【請求項９】
前記自動調整情報は、前記被写体の明るさに関する明るさ情報を含むことを特徴とする請求項１乃至８のいずれか１項に記載の撮像装置。
【請求項１０】
前記明るさ情報の値の範囲は、所定の範囲に制限されていることを特徴とする請求項９に記載の撮像装置。
【請求項１１】
前記自動調整情報は、前記赤外線遮断フィルターの挿脱の反応時間に関する反応時間情報を含むことを特徴とする請求項１０に記載の撮像装置。
【請求項１２】
撮像光学系と前記撮像光学系により結像された被写体の像を撮像する撮像部と赤外線を遮断する赤外線遮断フィルターと前記撮像光学系の光路に対して前記赤外線遮断フィルターを挿脱する挿脱部と前記挿脱部を自動で制御する制御部とを備えた外部の撮像装置に、ネットワークで接続されたクライアント装置であって、
前記挿脱部による赤外線遮断フィルターの挿脱を前記撮像装置に自動で制御させるための自動挿脱制御命令とともに前記赤外線遮断フィルターの挿脱に関する自動調整情報を、前記外部の撮像装置に前記ネットワークを介して送信する送信手段と、
前記制御部により用いられる自動調整情報に関する挿脱指定情報を、前記ネットワークを介して前記外部の撮像装置から取得する取得手段と、
を備え、
前記取得手段により取得される挿脱指定情報は、前記赤外線遮断フィルターを前記光路に挿入する場合および前記赤外線遮断フィルターを前記光路から抜去する場合のそれぞれについて、前記制御部により用いられる自動調整情報を指定可能であるか否かを示すことを特徴とするクライアント装置。
【請求項１３】
前記挿脱指定情報は、前記赤外線遮断フィルターを前記光路に挿入する場合および前記赤外線遮断フィルターを前記光路から抜去する場合のそれぞれについて、前記制御手段により用いられる自動調整情報を別々に指定可能であるのか、それとも当該自動調整情報を共通で指定可能であるのかを示すことを特徴とする請求項１２に記載のクライアント装置。
【請求項１４】
前記挿脱指定情報は、前記赤外線遮断フィルターを前記光路に挿入する場合について前記制御手段により用いられる自動調整情報を指定可能であることを示す挿入指定可能情報、および前記赤外線遮断フィルターを前記光路から抜去する場合について前記制御手段により用いられる自動調整情報を指定可能であることを示す抜去指定可能情報のそれぞれを、この順に記述可能であることを特徴とする請求項１３に記載のクライアント装置。
【請求項１５】
前記送信手段は、前記取得手段により挿脱指定情報が取得された後に、前記自動挿脱制御命令とともに前記自動調整情報を、前記ネットワークを介して前記外部の撮像装置に送信することを特徴とする請求項１２乃至１４のいずれか１項に記載のクライアント装置。
【請求項１６】
前記送信手段は、前記自動調整情報とともに前記挿脱指定情報を、前記ネットワークを介して前記外部の撮像装置に送信することを特徴とする請求項１２乃至１５のいずれか１項に記載のクライアント装置。
【請求項１７】
前記送信手段は、前記取得手段により取得された挿脱指定情報と一致する挿脱指定情報を、前記ネットワークを介して前記外部の撮像装置に送信することを特徴とする請求項１５又は１６に記載のクライアント装置。
【請求項１８】
前記自動挿脱制御命令には、前記挿脱指定情報および前記自動調整情報のそれぞれをこの順に記述することができることを特徴とする請求項１５乃至１７のいずれか１項に記載のクライアント装置。
【請求項１９】
前記自動調整情報は、前記被写体の明るさに関する明るさ情報を含むことを特徴とする請求項１２乃至１８のいずれか１項に記載のクライアント装置。
【請求項２０】
前記自動調整情報は、前記赤外線遮断フィルターの挿脱の反応時間に関する反応時間情報を含むことを特徴とする請求項１９に記載のクライアント装置。
【請求項２１】
撮像装置と当該撮像装置にネットワークで接続されたクライアント装置とで構成される撮像システムであって、
前記撮像装置は、
撮像光学系と、
前記撮像光学系により結像された被写体の像を撮像する撮像手段と、
赤外線を遮断する赤外線遮断フィルターと、
前記撮像光学系の光路に対して前記赤外線遮断フィルターを挿脱する挿脱手段と、
前記挿脱手段による赤外線遮断フィルターの挿脱を前記撮像装置に自動で制御させるための自動挿脱制御命令とともに前記赤外線遮断フィルターの挿脱に関する自動調整情報を、前記ネットワークを介して前記クライアント装置から受信する受信手段と、
前記受信手段により受信された自動挿脱制御命令および自動調整情報に基づき、前記挿脱手段を自動で制御する制御手段と、
を備え、
前記クライアント装置は、
前記制御手段により用いられる自動調整情報に関する挿脱指定情報を、前記ネットワークを介して前記撮像装置から取得する取得手段
を備え、
前記挿脱指定情報は、前記赤外線遮断フィルターを前記光路に挿入する場合および前記赤外線遮断フィルターを前記光路から抜去する場合のそれぞれについて、前記制御手段により用いられる自動調整情報を指定可能であるか否かを示すことを特徴とする撮像システム。
【請求項２２】
撮像光学系と前記撮像光学系により結像された被写体の像を撮像する撮像部と赤外線を遮断する赤外線遮断フィルターと前記撮像光学系の光路に対して前記赤外線遮断フィルターを挿脱する挿脱部と制御部とを備え、且つ外部のクライアント装置にネットワークで接続された撮像装置の制御方法であって、
前記挿脱部による赤外線遮断フィルターの挿脱を前記撮像装置に自動で制御させるための自動挿脱制御命令ととともに前記赤外線遮断フィルターの挿脱に関する自動調整情報を、前記外部のクライアント装置から前記ネットワークを介して受信する受信ステップと、前記受信ステップにより受信された自動挿脱制御命令に基づき、前記挿脱部を自動で前記制御部に制御させる制御ステップと、
前記自動調整情報に関する挿脱指定情報を、前記外部のクライアントに前記ネットワークを介して送信する送信ステップと、
を備え、
前記送信ステップにて送信される挿脱指定情報は、前記赤外線遮断フィルターを前記光路に挿入する場合および前記赤外線遮断フィルターを前記光路から抜去する場合のそれぞれについて、前記制御部により用いられる自動調整情報を指定可能であるか否かを示すことを特徴とする撮像装置の制御方法。
【請求項２３】
撮像光学系と前記撮像光学系により結像された被写体の像を撮像する撮像部と赤外線を遮断する赤外線遮断フィルターと前記撮像光学系の光路に対して前記赤外線遮断フィルターを挿脱する挿脱部と前記挿脱部を自動で制御する制御部とを備えた外部の撮像装置に、ネットワークで接続されたクライアント装置の制御方法であって、
前記挿脱部による赤外線遮断フィルターの挿脱を前記撮像装置に自動で制御させるための自動挿脱制御命令とともに前記赤外線遮断フィルターの挿脱に関する自動調整情報を、前記外部の撮像装置に前記ネットワークを介して送信する送信ステップと、
前記制御部により用いられる自動調整情報に関する挿脱指定情報を、前記ネットワークを介して前記外部の撮像装置から取得する取得ステップと、
を備え、
前記取得ステップにて取得される挿脱指定情報は、前記赤外線遮断フィルターを前記光路に挿入する場合および前記赤外線遮断フィルターを前記光路から抜去する場合のそれぞれについて、前記制御部により用いられる自動調整情報を指定可能であるか否かを示すことを特徴とするクライアント装置の制御方法。
【請求項２４】
撮像装置と当該撮像装置にネットワークで接続されたクライアント装置とで構成される撮像システムの制御方法であって、
前記撮像装置は、
撮像光学系と、
前記撮像光学系により結像された被写体の像を撮像する撮像部と、
赤外線を遮断する赤外線遮断フィルターと、
前記撮像光学系の光路に対して前記赤外線遮断フィルターを挿脱する挿脱部と、
を備え、
前記撮像装置にて、
前記挿脱部による赤外線遮断フィルターの挿脱を前記撮像装置に自動で制御させるための自動挿脱制御命令とともに前記赤外線遮断フィルターの挿脱に関する自動調整情報を、前記ネットワークを介して前記クライアント装置から受信する受信ステップと、
前記受信ステップにて受信された自動挿脱制御命令および自動調整情報に基づき、前記挿脱部を自動で制御する制御ステップと、
前記クライアント装置にて、
前記制御ステップにて用いられる自動調整情報に関する挿脱指定情報を、前記ネットワークを介して前記撮像装置から取得する取得ステップ
を有し、
前記挿脱指定情報は、前記赤外線遮断フィルターを前記光路に挿入する場合および前記赤外線遮断フィルターを前記光路から抜去する場合のそれぞれについて、前記制御ステップにて用いられる自動調整情報を指定可能であるか否かを示すことを特徴とする撮像システムの制御方法。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】